(57)【特許請求の範囲】
【請求項１】
臀部として仮想される保持器と、これに対して着脱可能に装着する疑似肛門とからなり、前記疑似肛門は、骨格となる中空形の骨部材に、インサート成形により軟質樹脂材を一体に肉付けしてなり、前記骨部材は、中空形において基端に広く開口する筒状ないし鞘状であって、前記軟質樹脂材は、前記骨部材の中空部に充填されるとともに、前記開口より無骨で突出することにより柔軟に弾性変形し得る張出部が充填部と一体に形成され、前記軟質樹脂材に、張出部先端の肛門口と、それに続く肛門通孔とを具備する操作初期部が形成されていることを特徴とする臀部用の看護練習器。
【請求項２】
前記張出部は、前記骨部材の基端開口より突出する台部と、その中央部より突出する弾性凸部とからなり、その先端中央部に前記肛門口が開口していることを特徴とする請求項１記載の臀部用の看護練習器。
【請求項３】
前記操作初期部は、浣腸用として、前記肛門通孔が浣腸を深く差し込み得るよう延長して形成され、前記骨部材の先端に突設した浣腸液の排出管にその肛門通孔が接続されていることを特徴とする請求項1又は２記載の臀部用の看護練習器。
【請求項４】
前記操作初期部は、摘便練習用として疑似便を予め充填しておくための空洞部が前記張出部と前記開口部との位置にわたって設けられており、その空洞部が指入れ可能な前記肛門通孔の先に膨大して形成されていることを特徴とする請求項１又は２記載の臀部用の看護練習器。
【請求項５】
前記張出部に、金型パーツの入れ替えにより追加凸部を付加して設けることにより、前記軟質樹脂材の前記張出部における前記肛門通孔が長く調整されてなることを特徴とする請求項１，２，３又は４記載の臀部用の看護練習器。
【発明の詳細な説明】
【技術分野】
【０００１】
この発明は、医療を志す看護学生が、浣腸や摘便のやり方を練習するために、浣腸や指を挿入する対象として使用する臀部用の看護練習器に関する。
【背景技術】
【０００２】
看護士や助産婦などの試験では、浣腸の実技が問われることがある。これに備えて従来は、仲間どうしで相手になることで技術的な練習が行われることがあったが、これでは不都合な面があり危険でもあるので、現在では浣腸練習用の臀部モデルを使用することがある。
【０００３】
臀部モデルは、人体の尻部およびその周辺を軟質プラスチックで一体成形したブロック状であって、これには肛門および腸管に似せた肛門口が開けられており、また、練習用浣腸液が溜まる数人分のタンクを備えているので、学生が入れ替わり使用することで、タンクが満杯になるとその廃液を捨て、タンクを空にしながら臀部モデルを反覆使用していた。
【発明の概要】
【発明が解決しようとする課題】
【０００４】
臀部モデルは、全体が軟質プラスチックであって、人体の皮膚感をそなえているのでリアルではある。全体の形状を保つために柔らかさが抑えられているが、浣腸の差し込み通孔の形状が捻じれることがあり、そうなると、差し込みに抵抗が生じることになるので、骨盤、尾骨、坐骨等に囲まれて安定している人体の肛門部分とは違いがあり、十分に練習成果が得られない結果となっていた。
【０００５】
しかも、臀部モデルであると、看護学生が共同で使用するために、誤って肛門の通孔に多量の液を残した場合には、それを取り除く手間に時間が取られ、また、順調に全員の練習が終わったとしても、多量の排液を一挙に処分するのが負担であった。
【０００６】
この発明は、上記のような実情に鑑みて、例えば臀部モデル等の形態のものを保持器として、それに装着しながら実習生が自分用として個別的に使うこともでき、使ってみると、人の肉体に似せた柔らかさを保持するが、捻じれがないため、浣腸や指の滑り具合に過不足がなく抵抗があり、ブレで支える肛門部分のリアル感と、肛門通孔の通し安定性とが得られる臀部用の看護練習器を提供することを課題とした。
【課題を解決するための手段】
【０００７】
この発明は、上記の課題を解決するために、臀部として仮想される保持器と、これに対して着脱可能に装着する疑似肛門とからなり、前記疑似肛門は、骨格となる中空形の骨部材に、インサート成形により軟質樹脂材を一体に肉付けしてなり、前記骨部材は、中空形において基端に広く開口する筒状ないし鞘状であって、前記軟質樹脂材は、前記骨部材の中空部に充填されるとともに、前記開口より無骨で突出することにより柔軟に弾性変形し得る張出部が充填部と一体に形成され、前記軟質樹脂材に、張出部先端の肛門口と、それに続く肛門通孔とを具備する操作初期部が形成されていることを特徴とする臀部用の看護練習器を提供する。
【０００８】
臀部用の看護練習器を上記のように構成したから、保持器の所定箇所に装着して、形態に応じて、先端の肛門口から浣腸器を差し込みながら浣腸の練習をし、あるいは指を差し込んで、摘便の練習をするものであるが、その操作初期部が人体の肉に近い非常に柔らかい軟質樹脂材で構成されていても、骨部材の影響の少ない状態で且つ安定して保持されているので、骨部材が操作の妨げになることもなく、肛門通孔が捻じれるような不都合を招くこともない。しかも、浣腸器や指先が適度に支えたり、抵抗を受けたりして、困難に遭遇しながら解決するコツを覚えて行くことができるものである。
【発明の効果】
【０００９】
以上説明したように、この発明の臀部用の看護練習器によれば、骨部材とこれに支持される軟質樹脂材からなるものであるが、軟質樹脂材が言わば硬軟にわけられ、少なくとも操作初期部が両者の調和のとれた箇所に設けられるものであって、人体の肉に似た軟質樹脂材で構成されていても、全体的に捻じれるような不都合がなく支持され、しかも、肉に似た柔らかさが操作を適度に難しくすることになり、肉質構造のリアルな場面の提供になり、その場の解決により得難いコツを覚えることにもなり、これによって練習成果が高められるという優れた効果がある。
【図面の簡単な説明】
【００１０】
【図１】第一の発明の臀部用の看護練習器を保持器とともに示す斜視図である。
【図２】同臀部用の看護練習器の使用状態を示す保持器の斜視図である。
【図３】図１のＡ−Ａ線矢視の断面図である。
【図４】Ｂ−Ｂ線矢視の断面図である。
【図５】Ｃ−Ｃ線矢視の断面図である。
【図６】Ｄ−Ｄ線矢視の断面図である。
【図７】同発明に係る骨部材の両半殻片を内面を上にして並列して示す平面図である。
【図８】同骨部材の斜視図である。
【図９】他の実施例を示す臀部用の看護練習器の斜視図である。
【図１０】図９のE−E線矢視の断面図である。
【図１１】さらに他の実施例を示す看護練習器の斜視図である。
【発明を実施するための形態】
【００１１】
この発明において、臀部用の看護練習器Ｐは、全体的な形状が保持器Ｔとの相対関係において決まるので、実施例のように台形ないし鞘状の形状に限定されることはなく、また、保持器Ｔの構造や機能も様々となるものである。
【実施例１】
【００１２】
図１ないし図８は一実施例を示したもので、その臀部用の看護練習器Ｐは、基端部を除いて全体的に及ぶような形状の骨部材１をインサート品とし、それに肉付けするようインサート成形されたもので、硬質の骨部材１に極柔らかい軟質樹脂材３を一体化して、適度な柔軟性と形状の安定化が図られる。
【００１３】
骨部材１には、硬質の合成樹脂（例えばＰ．Ｐ）の成形品が使用され、軟質樹脂材３を充填するために空洞状に形成される。軟質樹脂材３としては、樹脂とゴムとを混合してなる弾力性にすぐれたエラストマーが使用される。非常に柔らかい軟質度は骨部材１のリブ性能により補完し安定化されている。
【００１４】
骨部材１は、空洞の言わば殻状であって、それぞれ射出成形された上下一対の半殻片５，５を二枚合わせに組み合わせ、一端が全開口７となり、全開口７の基端から先端部に掛けて順次幅狭く差し込みやすい、言わば鞘型の殻形状であり、二枚合わせの半殻片５，５で組み立てられる。
【００１５】
内部には開口７に全開する間口室２０が横壁２１により設けられ、それより奥において中央部が左右隔壁９，９により縦室８になっている。そして、間口室２０と縦室８とに軟質樹脂材３が一体に充填され、さらに、この充填部と一体に開口７より張出部２４が突出して形成される。
【００１６】
なお、両半殻片５、５について、左右両端と先端には、上下に重なる合わせ鍔部１０，１０、１０を有し、結合のために、一方の基端には凸部１２，１３を、他方にはそれに嵌るホゾ孔１４や凹部１５が設けられる。
【００１７】
また、一の半殻片５については、厚みのある先端凸部１３に縦室８が抜ける通路８ａとともに排出管１６が形成され、その排出管１６が半殻片５の先端より突出される。また、鍔部１０，１０の二枚合わせ部分に、軟質樹脂材３を上下に連通させる抜穴１８，１８が設けられる。
【００１８】
軟質樹脂材３は、内外一体に充填ないし成形されており、外部として基端部においては、端面開口７の全面より張出部分２４が突設され、張出部２４は、太く分厚い台部２６とその幅中央部に突設される弾性筒部２７とからなり、こうして、骨部材１を欠かせて特に柔軟性を付与する軟度アップにより、浣腸器の差し込みに熟練を要するよう工夫される。
【００１９】
台部２６の両横にはそれを挟む肩部３０，３０が形成され、両側から適度に支持して台部２６に安定性が付与される。また、弾性凸部２７の外周には環状凹溝２８，２８，２８が形成される。なお、この環状凹溝２８にゴム輪をかけて肛門口３１を絞り調整することができる。外部にはさらに、各鍔部１０，１０、１０の外面を全体的に被覆する軟質摩擦層３３を有する。
【００２０】
内部には前記したように軟質樹脂材３が充填され、その中に先方の前記排出管１６に通じる肛門通孔３５が形成されるが、途中には浣腸の過度な進入を防止する段差１７が形成される。
【００２１】
図２は、保持器Ｔを示したもので、保持器Ｔは、臀部に似せて割れ目３９を有する椀状であって、携帯しやすくループ状の手掛け４１が取り付けられる。
【００２２】
使用については、臀部用の看護練習器Ｐを割れ目３９の中にセットすると、内部において固定され、裏側の椀状口に排出管１６が突出するので、排出管１６に小型タンク４１を取り付けた状態で使用する。
【実施例２】
【００２３】
図９および図１０は、摘便用として実施した他の例を示したもので、その摘便用の看護練習器Pbは、できるだけ同一金型や部材を使用することにより(図１等参照)コスト安が図られ、同じ形状の骨部材１と、同じようにインサート成形される軟質樹脂材３とからなるものであるが、操作初期部６は、軟質樹脂材３の張出部２４において、肛門口３１から指を差し込む肛門通孔３５を形成し、肛門通孔３５の先端に膨大した空洞部３７を設け、空洞部３７が骨部材１の開口部内に一部が納まる、言わば硬軟調和位置にあるので、摘便の操作時に、空洞部３７が骨部材１に適度に支持される結果、過度にグラつくことがなく、実際に患者に対する摘便と同様のリアル感でコツを覚えながら操作ができ、練習効果が確実に得られる。ちなみに、軟質樹脂材３は、例えばトコロテン程度に柔らかいために、骨部材１の支持が無いならば、空洞部３７の個所が過剰に柔らかく、空洞部３７の位置が定まらなく不安定であるために指掻きが不能となる。この発明の場合、適度に骨部材１が支えるので、極柔らかい樹脂からなる空洞部３７であっても、練習に過不足ない摘便の操作抵抗も得られる。
【００２４】
ちなみに、使用するときには、空洞部３７に疑似便を予め充填しておき、肛門口３１から肛門通孔３５に親指を差し込むことによりそれを少しずつ掻き出す操作となるが、骨部材１から離れている箇所に肛門通孔３５があるので、指の差し込みにも適度な操作抵抗が伴う。
【実施例３】
【００２５】
図１１は、実施例１のものに類する浣腸用の練習器Pｃを示したもので、金型パーツの入れ替えにより追加凸部３９を設けることにより、軟質樹脂材３の張出部２４における肛門通孔３５が長く調整されている。
【符号の説明】
【００２６】
Ｐ  臀部用の看護練習器
Ｐａ、Ｐｂ、Ｐｃ  疑似肛門
１  骨部材
２  浣腸器（浣腸）
３  軟質樹脂材
６  操作初期部
７  開口
１６  排出管
１９  開口室
２４  張出部
２７  弾性筒部
３１  肛門口
３３  軟質摩擦層
３５  肛門通孔
３７  空洞部
３９  追加凸部
【図１】
0006445811.tif 000002
【図２】
0006445811.tif 000003
【図３】
0006445811.tif 000004
【図４】
0006445811.tif 000005
【図５】
0006445811.tif 000006
【図６】
0006445811.tif 000007
【図７】
0006445811.tif 000008
【図８】
0006445811.tif 000009
【図９】
0006445811.tif 000010
【図１０】
0006445811.tif 000011
【図１１】
0006445811.tif 000012